(57)【特許請求の範囲】
【請求項１】
ディスクに記録再生するドライブ装置において、駆動装置により前進後進するホールダと、そのホールダの進行方向の前面に設けられたディスクカートリッジ及びディスク単体が挿入される挿入窓と、ホールダの進行方向と平行な両側面にそれぞれ設けられた一対のディスクカートリッジ及びディスク単体を案内し保持する保持機構と、ホールダの後部に設けられたディスクカートリッジのシャッタを開閉する開閉機構とを具備し、挿入されるディスクカートリッジあるいはディスク単体を一旦ホールダに保持させた後に、ホールダと共にドライブ内部に引き込む様にしたことを特徴とするディスクローディング装置。
【請求項２】
ホールダ後部に設けられたシャッタ開閉機構でディスクカートリッジの先端がディスククランプ部を通過するまでに、シャッタの開動作を完了させる事を特徴とする請求項１記載のディスクローディング装置。
【請求項３】
前記ホールダの進行方向と平行な両側面に設けられたディスクカートリッジ及びディスク単体を案内し保持する保持機構はディスク外周に２点で接する保持部とディスク中心方向に力が作用する弾性体とからなり、ディスク単体の外周形状を利用して中心位置を出し、ディスクカートリッジ内のディスク中心位置とディスク単体の中心位置を一致させ、ディスクカートリッジ挿入時には外側に逃げることを特徴とする請求項１記載のディスクローディング装置。
【請求項４】
前記ホールダの進行方向と平行な両側面に設けられたディスクカートリッジ及びディスク単体を案内し保持する保持機構は、ホールダの挿入窓からみて、ホールダの両側の奥に設けられた軸と、その軸に軽く契合し中心側に向かってカートリッジの切り欠きに契合する突起と、その反対側にホールダの切り欠き窓を貫いてドライブ内部のガイドの切り欠きに契合する突起部が構成されたカートリッジ保持部材と、同じくその軸に軽く契合し、前面の挿入窓まで達する長いアーム状で、その先端は外側に向かって広くなる傾斜部と、ディスク単体のディスク厚より少し厚い幅を有する溝が進行方向に平行に設けられ、その溝深さは、保持されたディスクカートリッジ内のディスクの中心位置で進行方向に直角な中心線上の位置が一番深く、その中心線の均等な距離のところに、ディスク単体の外周と接合する浅い部分を２カ所構成し、また、その傾斜部には溝幅を大きく徐々に狭くなるように構成したカートリッジ案内部材と、ホールダとカートリッジ案内部材間にカートリッジ案内部材を中心側に運動させる様に作用する板ばねもしくは回動ばねと、カートリッジ案内部材の位置を規制するストッパとで構成されたことを特徴とする請求項３記載のディスクローディング装置。
【請求項５】
ストッパ軸と、ストッパ軸に軽く契合される両端が丸められた棒状のディスクストッパ部材と、カートリッジ案内部材のほぼ中央にディスクストッパ部材が挿入される切り込みと、ディスクストッパ部材とカートリッジ案内部材の間に作用するストッパ回動ばねとを具備し、保持されたディスク中心とストッパ軸中心を通る線上のディスク円周上の点とディスクストッパ部材の一端が接し、ディスクストッパ部材の他端はホルダーと接するように配置した請求項４記載のディスクローディング装置。
【請求項６】
先端が狭く根本が太くなる解除ピンがディスクモータの昇降と同期して昇降し、カートリッジ案内部材を押し広げ、左右のカートリッジ案内部材の間隔を広げ、ディスク単体を自由にすることを特徴とする請求項４記載のディスクローディング装置。
【請求項７】
保持されるディスクの中心の対称位置に、ホールダの一部を折り曲げ可能構造とし、折り曲げられた部分に短幅はディスクカートリッジのディスク規制幅で、長幅ば折り曲げ位置でのディスクの円弧の弦の長さの四角い切り込み孔を有し、ディスク単体をその四角い切り込みに挿入し、ディスクをディスクカートリッジ内のディスクと中心位置を一致させ保持することを特徴とした請求項１記載のディスクローディング装置。
【請求項８】
ホールダの折り曲げ構造は、折り曲げられる部分の奥半分にだけ配置された構造とした請求項７記載のディスクローディング装置。
【請求項９】
ホールダに設けられたディスクカートリッジ挿入窓において、ディスクと平行なホールダの面に、ディスク保持位置のディスク中心と一致し、ディスクとほぼ同半径の円弧状の突起を構成し、また同心の円形の模様を具備したことを特徴とする請求項１記載のディスクローディング装置。
【発明の詳細な説明】
【０００１】
【発明の属する技術分野】
本発明は、光でディスクに情報を記録及び再生する装置のディスクローディング装置に関するものである。
【０００２】
【従来の技術】
オーディオディスクやビデオディスク、また、コンピュータのデータ記憶装置として、光ディスク装置が広く用いられている。ＡＶ機器のみならず、パーソナルコンピュータの小型化が進むにつれて、光ディスク装置の薄型化が望まれている。
【０００３】
一般に、光ディスク装置では、ディスクカートリッジを装置内に挿入した後、カートリッジをスピンドルモータ及び光ピックアップの方向に移動して、ディスクをターンテーブルにチャッキングし、記録または再生可能な状態にする必要がある。以下図面を参照しながら、この様な光ディスク装置の従来のディスクローディング機構について説明する。一例として特開平５ー２０５３８１号公報に開示されている。
【０００４】
図１５は、従来の光ディスク装置のディスクローディング機構の構造を示す斜視図、図１６はその動作を示す側面図である。
【０００５】
図１５、図１６において、カートリッジ１は、装置前面より、カートリッジホルダ２に挿入される。この時、カートリッジ１のスライドシャッタ１ａは、カートリッジホルダ２に組みこまれたリンク機構により、スライドし、ディスクの記録、再生部を露出する。カートリッジホルダ２の両側面には、４個のガイドローラ３があり、これらが、スライダ４の両側面に設けられたガイド溝５に挿入されており、シャーシ６に植設されたガイドポール８に沿って、上下にのみ寸法ｄだけ移動可能に取り付けられている。
【０００６】
スライダ４は、カートリッジホルダ２を下からはさみこむような形状で、シャーシ６に植設されたガイドピン７に沿って矢印Ａ方向に寸法Ｓだけ摺動可能に取りつけてある。スライダ４は、シャーシ６に対し、スライダバネ９により常にＡ方向にひっぱられており、初期状態では、スライダバネ９が、最も伸びた状態で止まるよう、スライダ４は、ロックアームにより係止されている。このロックアームは、カートリッジ１の挿入により、カートリッジの１つの角に押されて解除される。ロックアームが解除されると、スライダ４は、スライダバネ９により、Ａ方向にスライドし、ガイド溝５に沿って、ガイドローラ３が移動し、カートリッジホルダ２は、シャーシ６の方向（矢印Ｂ）に寸法ｄだけ移動する。カートリッジの降下により、ディスクは、スピンドルモータ１１に設けられたターンテーブル１２に乗りチャッキングされ、光ピックアップ１３に対し、記録、再生可能な距離まで接近する。
【０００７】
カートリッジを装置より取り出すときは、ローディングモータ１６により、スライダ４が、スライダバネ９の引張力に逆らって引き戻され、ガイド溝５に沿って、ガイドローラ３が移動し、カートリッジホルダ２は、初期状態の位置まで上昇する。これによりディスクはターンテーブルから離され、カートリッジが取り出し可能な状態となる。
【０００８】
【発明が解決しようとする課題】
しかしながら、上記のような従来のディスク装置のローディング装置では、次のような問題点があった。すなわち、カートリッジを一旦水平に挿入した後、スピンドルモータの方向に降下させることにより、ディスクをターンテーブルに乗せ、光ピックアップで記録再生可能な状態にするため、カートリッジが降下した後の空間は、カートリッジの全面積にわたって、寸法Ｄの厚みが、空き空間となる。この空間にはモータの制御回路など他の部品を配置することはできず装置内でデッドスペースとなる。このため、装置の薄型化に限界が生じる。
【０００９】
また音楽用ＣＤ、情報用ＣＤ−ＲＯＭの様なディスク単体を直接ローディングすることが不可能であり、キャディと呼ばれるカートリッジに入れなければならない。操作が複雑になる。
【００１０】
本発明は、上記の課題を解決するもので、装置内に大きなデッドスペースを作る事なく、装置全体の薄型化を可能にし、またにディスクカートリッジとディスク単体のローディングを可能にすると共に、横置き縦置き姿勢で使用可能なローディング装置を提供することを目的とする。
【００１１】
【課題を解決するための手段】
ディスクに記録再生するドライブ装置において、駆動装置により前進後進するホールダを構成し、そのホールダに、ホールダの進行方向の前面にディスクカートリッジ及びディスク単体が挿入される挿入窓と、ホールダの進行方向と平行な両側面にディスクカートリッジ及びディスク単体を案内し保持する一対の保持機構と、ホールダの後部にディスクカートリッジのシャッタを開閉する開閉機構とを設ける。ディスクカートリッジ及びディスク単体を一旦ホールダに保持させた後に、ホールダと共にドライブ内部に引き込む様にする。ホールダ後部に設けられたシャッタ開閉機構でディスクカートリッジの先端がディスククランプ部を通過するまでに、シャッタの開動作を完了させる事を特徴する。
【００１２】
ディスククランプ部を通過する時にはすでにシャッタは開状態なので、ディスクモータとクランプの設定位置が接近して設置できるのでクランプ動作の際、ディスクモータ、クランプとディスクカートリッジの相対移動量は少なくてすむ。ディスクカートリッジの全厚みをクランプで逃げる必要はなく薄型のドライブが構成できる。
【００１３】
またホールダにディスクカートリッジ及びディスク単体を保持する機能を有するから、ディスク単体をキャディに入れる必要が無く、ディスクを垂直に置いても倒れる事なく保持されるから、横置き縦置きの姿勢での使用も可能である。
【００１４】
【発明の実施の形態】
以下、本発明の一実施例のディスクローディング装置について図を参照しながら説明する。図１は本発明のディスクローディング装置を示す三面図で（ａ）は平面図、（ｂ）は正面図、（ｃ）は側面図、尚（ｄ）はディスク単体時の側面図である。図２は本発明の主要部であるホールダの斜視図である。図３及び図４は本発明のホールダの内部構造を示す部分斜視図である。
【００１５】
図１において１はドライブ筐体でそのドライ内部の構成を簡単に説明する。２はターンテーブルと一体化されたディスクモータで昇降基盤３上に固定され、ディスクがローディングされると昇降しディスクがターンテーブルに装着される。４はクランプでディスクモータの昇降と連動されてディスク１１を挟み込む構造になっている。７は光学ヘッドでトラバースに固定され、送り軸５、トラバースモータ６でディスク半径方向に任意に移動できる。
【００１６】
１０はディスクカートリッジで内部にはディスク１１が納められている。１２はシャッタで進行方向に対して直角方向にスライドしディスクの記録面もしくは再生面が露出する構造となっている。
【００１７】
１００はホールダでその外側をドライブ内部に設けられたガイド１０１で案内される。１０２はホールダ駆動モータで駆動軸にはピニオンギア１０３が取り付けられている。１０４はホールダ下面に取り付けられたラックギアでピニオンギア１０３と噛合して、ホールダを進出または後退させる。
【００１８】
図２はホールダの斜視図を示す。図２においてホールダ全体は、ディスクカートリッジを包むような四角い筒状の形状で筒状の端面はディスクカートリッジが挿入される挿入窓１００ｃが構成されている。
【００１９】
挿入窓１００ｃにおいて、ディスクと平行なホールダの下面に、ディスク保持位置のディスク中心と一致し、ディスクとほぼ同半径の円弧状の突起１００ｄを構成した。また同心の円形の模様１００ｅを構成した。
【００２０】
側面はガイド面１００ｇでカートリッジ保持部材１０９の突起１０９ｂが突出する孔１００ａが設けられている（カートリッジ保持部材については後述する）。
【００２１】
ディスクと平行なホールダの下面は、光ピックが挿入され移動される切り欠き１００ｈが設けられている。
【００２２】
ディスクと平行なホールダの上面は、ディスククランプ、及びディスク単体挿入時の人の手との干渉を除くため、切り欠き１００ｉが設けられている。
【００２３】
挿入窓１００ｃから見ての奥の端面は薄い連結部１００ｊを残して、切り欠かれている。
【００２４】
また、奥端面付近にシャッタ開閉機構が設けられている。図１及び図２においてシャッタ開閉機構は、シャッターオープナ１０５とホールダ１００の奥角に設けられたオープナー軸１０６と回動ばね１０７とで構成され、オープナ軸にシャッタオープナ１０５の一端が、回動ばね１０７と共に軽く契合され、そのばね力によってディスクカートリッジがホールダに挿入された時、シャッタオープナの先端がシャッタの切り込み部と噛み合う位置Ａに保持されている。更にディスクカートリッジが挿入されると回転ばねのばね力に逆らってＢ位置まで回動移動する。シャッタは完全に開かれた状態となる。ディスクカートリッジが抜かれると、回動ばね力により元のＡ位置に戻るものである。またドライブ内部には、オープナ解除ピン８が設けられ、トラバースの最終端でオープナ１０５後端部を押し当てる。
【００２５】
ホールダの内部側面にはディスクカートリッジ入りディスクとディスク単体即ちディスクカートリッジなしのディスクがそれぞれ装着できるようにするため、ディスクカートリッジ及びディスク単体を案内し保持する保持機構が設けられている。
【００２６】
ディスクカートリッジ及びディスク単体を案内し保持する保持機構について、図面を参照にしながら詳しく説明する。図３及び図４はホールダの内部構造を示す部分斜視図である。図１、図３及び図４において１０８は軸でホールダ１００の両側の奥に設けらている。１０９はカートリッジ保持部材で、一端は軸１０８に軽く契合する孔１０９ｃが、他端には中心側に向かってカートリッジの切り欠き１０ａに契合する突起１０９ａと、その反対側にホールダの切り欠き窓１００ａ（図２参照）を貫いてドライブ内部のガイドの切り欠き１０１ａに契合する突起部１０９ｂが構成されている。１１０はカートリッジ案内部材で、一端は軸１０８に軽く契合する孔１１０ａと、カートリッジ保持部材１０９の干渉を避けるための切り欠き１１０ｂを構成し、他端が前面の挿入窓まで達するように長いアーム状とし、その先端は外側に向かって広くなる傾斜部１１０ｃが設けられている。また、ディスク単体のディスク厚より少し厚い幅を有する溝１１０ｄが進行方向に平行に設けられ、その溝深さは    保持されたディスクカートリッジ内のディスクの中心位置で進行方向に直角な中心線上の位置が一番深く、その中心線の均等な距離のところに、ディスク単体の外周と接合する浅い部分１１０ｅを２カ所構成し、また、その傾斜部１１０ｃには溝幅が大きく徐々に狭くなるような溝１１０ｆが構成されている。
【００２７】
ほぼ中央部にはディスクストッパ部材１１２が挿入される切り込み１１０ｇと、ストッパ軸１１１が契合される孔１１０ｈがあいている。カートリッジ保持部材１０９とカートリッジ案内部材１１０の間には、カートリッジ保持部材が中心側に運動させる様に回動ばね１１４が相対的に作用している。
【００２８】
１１１はストッパ軸で、カートリッジ案内部材１１０に設けられた孔１１０ｈに堅く勘合される。１１２はディスクストッパ部材で、ほぼ中央部にストッパ軸１１１に軽く契合される孔１１２ａ、ホールダ１００と接する一端は丸められた形状１１２ｂ、ディスクの外周と接する他端は少し幅を広くして丸められた形状１１２ｃとし、カートリッジ案内部材１１０の中央部の切り込み１１０ｇにストッパ回動ばね１１３と共に組み込まれ、ディスクストッパ部材とカートリッジ案内部材の間にディスクの外周と接触する端部１１２ｃが内側に動くような力が作用している。そして、保持されたディスク中心とストッパ軸中心を通る線上のディスク円周上の点とディスクストッパ部材の一端が接し、ディスクストッパ部材の他端はホルダーと接するように配置されている。
【００２９】
ホールダ１００とカートリッジ案内部材１１０間にカートリッジ案内部材を中心側に運動させる様に作用するばね１１５が設けられている。またホールダ１００にカートリッジ案内部材１１０の位置を規制するストッパ１００ｂが設けられている。また昇降基盤上に案内部材解放ピン９が構成され、カートリッジ案内部材をディスク装着時に外側に移動させる。
【００３０】
図２において１００ｆは小径ディスク保持板でその詳細を図５〜図９を用いて説明する。
【００３１】
図５は通常サイズのディスク１１が保持されている状態、図６は小径ディスク１１ａが保持されている状態である。
【００３２】
図５及び図６において、小径ディスク保持板１００ｆは、保持されるべきディスク中心の対称位置に、ホールダの一部を折り曲げ可能構造として、折り曲げられた部分である。小径ディスク保持板１００ｆには短幅はディスクカートリッジのディスク規制幅で、長幅ば折り曲げ位置での小径ディスクの円弧の弦の長さの四角い切り込み孔１００ｋを有し、小径ディスク１１ａをその四角い切り込み孔１００ｋに挿入し、小径ディスク１１ａをディスクカートリッジ内のディスクと中心位置を一致させ保持する。ホールダの折り曲げ構造は、折り曲げられる部分の奥半分１００ｍにだけ配置されている。これは小径ディスク１１ａが四角い切り込み１００ｋに挿入する際、ディスク保持板１００ｆの手前端面を広げ易くし、小径ディスクの装着を容易にするためである。
【００３３】
折り曲げ構造の一実施例を図７から図９に示す。図９において１００ｐは小径ディスク保持板１００ｆの端面に設けられた四角い軸である。１００ｑはホールダ側に設けられたＶ状溝の下側軸支えで、１００ｒは同様の上側軸支えであり、複数個交互に配置されている。１００ｔは軸方向の移動を防止する凸部でホールダには凸部１００ｔと勘合する凹部１００ｕが構成されていて、軸方向の移動を防止している。１００ｓは１００ｑの逃げ孔である。成形で容易に作成できる構成である。矢印Ｂ方向に圧接合する。図７は圧接合されたＡ−Ａ断面を示し、図８は９０度折り曲げた状態の断面で、四角い軸が９０度回転している。上下軸支えの撓みにより０度、９０度の２カ所が安定な位置となる。
【００３４】
実施例の動作
以上の様に構成されたディスクローディング装置の動作について、図１０、図１１、図１２、図１３を用いて説明する。
【００３５】
ａ）ディスクカートリッジのローディング動作
図１０において、まずディスクカートリッジ１０の先端を円弧状の突起１００ｄに載せる（ａの状態）。次に挿入窓１００ｃに挿入する。カートリッジ案内部材１１０先端は外側に向かって広くなる傾斜部１１０ｃと、カートリッジ１０の先端のコーナーと接触する。傾斜部１１０ｃはディスクカートリッジに押されて外側に後退する（ｂの状態）。カートリッジ案内部材１１０は最大変位を取り、ディスクカートリッジが挿入される。その時ストッパ部材１１２は、カートリッジ案内部材１１０に設けられたストッパ軸１１１が外側に移動し、一端がホールダ１００に接触しているため、従動回転し、カートリッジ案内部材１１０の内部に収納されるので、カートリッジの挿入にの傷害にはならない（ｃの状態）。次にシャッターオープナ１０５の先端がディスクカートリッジのシャッタの切り欠きに接合される。更にディスクカートリッジを押し込むと、シャッタは開いてゆく。そしてカートリッジ保持部材１０９のカートリッジの切り欠き１０ａに契合する突起１０９ａがディスクカートリッジの先端の側面を乗り越えてるようになる。その時その反対側の突起部１０９ｂが、ホールダの切り欠き窓１００ａを貫いてドライブ内部のガイドの切り欠き１０１ａに契合する（ｄの状態）。人がディスクカートリッジを押す力やシャッタオープナのばねの反力等がホールダに加わっているが、ホールダは動けないためシャッタの開く動作は確実となる。更にディスクカートリッジを押し込むと、シャッタは完全に開き、カートリッジ保持部材１０９の突起１０９ａがディスクカートリッジの切り欠き１０ａに契合する。この時その反対側の突起部１０９ｂは、ドライブ内部のガイドの切り欠き１０１ａから抜け出し、元のホールダのガイド側面に接する状態になる（ｅの状態）。この状態の縦断面図を図１１に示す。
【００３６】
図１１は図１のＡ−Ａ断面図である。シャッタオープナ１０５、ホールダの薄い連結部１００ｊをディスクカートリッジのシャッタ部のブリッジ１０ｂの上下平面内に構成され、スピンドルモータのターンテーブル２、及びクランプ４はの間隔ｄは、ブリッジの厚さＤｂより△ｄだけ少し広く構成されている。シャッタはクランプ通過前であるが完全に開かれている。
【００３７】
ホールダ内の動作は完了し、次の動作はホールダ駆動モータ１０２のピニオンギア１０３がホールダ下面に取り付けられたラックギア１０４と噛合して、ホールダを引き込む（ｆの状態）。この時、カートリッジ保持部材１０９の突起部１０９ｂがドライブ内部のガイド１０１により位置が規制され、突起１０９ａはカートリッジの切り欠き１０ａに契合された状態であるため、ディスクカートリッジは完全にホールダに保持されている。
【００３８】
その後昇降基盤３上に固定されターンテーブルと一体化されたディスクモータ２が昇降し、ディスクモータの昇降と連動されてクランプ４が降下し、ディスク１１が装着されローディング動作が完了する。
【００３９】
ディスクカートリッジを取り出す動作は、これらの動作の全く逆の順路で行われ、（ｅ）の状態からディスクカートリッジを手でもって取り出せば良い。
【００４０】
ｂ）ディスク単体（ディスクカートリッジなしのディスク）のローディング動作
図１２においてディスク単体１１を挿入窓１００ｃに挿入する。まずディスク単体の外周と、シャッタオープナ１０５の先端とが接触する（ａの状態）。更に挿入していくとシャッタオープナは押されて従動回転し、カートリッジ案内部材１１０先端の外側に向かって広くなる傾斜部１１０ｃと、ディスク単体の外周と接触する。傾斜部１１０ｃには溝幅が大きく徐々に狭くなるような溝１１０ｆが構成されているので、その溝１１０ｆにそってディスクが挿入される（ｂの状態）。
【００４１】
さらに挿入されると、ディスク単体のディスク厚より少し厚い幅を有する溝１１０ｄが進行方向に平行に設けられているので、ディスク単体はその溝にそって挿入され保持高さが規制される。その溝深さは、保持されたディスクカートリッジ内のディスクの中心と一致する位置で進行方向に直角な中心線の位置が一番深く、その中心線の均等な距離のところに浅い部分１１０ｅを２カ所設けるように構成されているので、その浅い部分１１０ｅがディスク外周を乗り越えるように、カートリッジ案内部材１１０は、ばね１１５の反力に逆らって外側に後退する（ｃの状態）。そして更に挿入されると、浅い部分１１０ｅの中間点即ちディスクカートリッジ内のディスクの中心と一致する位置で、カートリッジ案内部材１１０は再び元の状態に戻り、ディスク単体を安定に保持する。何故なら更にディスク単体を奥へ挿入すると浅い部分をもう一度越えなければならないので、ばねの反力によって戻されるからである。１０５のオープナは更に大きく従動回転している。ディスク単体が安定に保持されている位置で、ストッパ部材１１２は保持されたディスク中心とストッパ軸中心１１１を通る線上のディスク円周上の点とディスクストッパ部材１１２の一端１１２ｃが接し、ディスクストッパ部材の他端１１２ｂはホルダーと接しているから、ストッパ部材は従動回転できず、ディスクを更に奥に挿入させようと大きな外力を加えてもディスクはそれ以上奥に挿入することは出来ない（ｄの状態）。
【００４２】
ホールダ内の動作は完了し、次の動作はホールダ駆動モータ１０２のピニオンギア１０３がホールダ下面に取り付けられたラックギア１０４と噛合して、ホールダを引き込む。最終端ではオープナ解除ピン８にオープナ１０５後端部を押し当てることによりオープナ１０５とディスク単体１１ａの接触を解放する。
【００４３】
その後昇降基盤３上に固定されターンテーブルと一体化されたディスクモータ２が昇降し、また昇降基盤上に構成された案内部材解放ピン９が、カートリッジ案内部材１１０を後退させ、ディスク単体１１ａとカートリッジ案内部材１１０の接触を解放させる。ディスクモータの昇降と連動されたクランプ４が降下し、ディスク１１が装着されローディング動作が完了する（ｅの状態）。
【００４４】
ディスク単体を取り出す動作はこれらの動作のまったく逆の順路で行われ、（ｄ）の状態からディスクカートリッジを手でもって取り出せば良い。
【００４５】
ｃ）小径ディスク単体のローディング動作
図１３において小径ディスク単体１１ａを挿入する場合、まず（ａ）の状態の小径ディスク保持板１００ｆを矢印Ａ方向に手で折り曲げ（ｂ）の状態にする。そして小径ディスク単体１１ａを挿入すると、小径ディスク単体１１ａの外周と、と小径ディスク保持板１００ｆと接触する（ｃの状態）。更に挿入すると、折り曲げ構造１００ｍは、折り曲げられる部分の奥半分にだけ配置されているので、小径ディスク保持板の手前端面はディスクの外周に押されて撓み、一対の小径ディスク保持板の間隔が広くなり、小径ディスクの装着が可能となる。と同時に１０５のオープナは小径ディスクの外周で従動回転する（ｄの状態）。更に挿入すると、小径ディスク保持板１００ｆには短幅はディスクカートリッジのディスク規制幅で、長幅ば折り曲げ位置での小径ディスクの円弧の弦の長さの四角い切り込み孔１００ｋか設けられているので、小径ディスク１１ａをその四角い切り込み孔１００ｋに挿入し、小径ディスク１１ａをディスクカートリッジ内のディスクと中心位置を一致させ保持する。１０５のオープナは小径ディスクの外周で更に大きく従動回転する（ｅの状態）。図６は小径ディスク１１ａが保持されている状態である。
【００４６】
ホールダ内の動作は完了し、次の動作はホールダ駆動モータ１０２のピニオンギア１０３がホールダ下面に取り付けられたラックギア１０４と噛合して、ホールダを引き込む。最終端ではオープナ解除ピン８にオープナ１０５後端部を押し当てることによりオープナ１０５と小径ディスク単体１１ａの接触を解放する。
【００４７】
その後昇降基盤３上に固定されターンテーブルと一体化されたディスクモータ２が昇降し、また昇降基盤上に構成された案内部材解放ピン９が、カートリッジ案内部材１１０を後退させる。ディスクモータの昇降と連動されたクランプ４が降下し、小径ディスク単体１１ａが装着されローディング動作が完了する（ｆの状態）。
【００４８】
小径ディスク単体を取り出す動作はこれらの動作のまったく逆の順路で行われ、（ｃ）の状態から小径ディスク単体１１ａ手でもって取り出し、その後小径ディスク保持板１００ｆを手で元の状態に戻せば良い。
【００４９】
【発明の効果】
以上の実施例から明らかなように、本発明は、図１１に示すがごとく、オープナ１０５、ホールダの薄い連結部１００ｊをディスクカートリッジのシャッター部のブリッジ１０ｂの上下平面内に構成され、シャッタがクランプ通過時までに開きことが可能となるので、スピンドルモータのターンテーブル２、及びクランプ４はの間隔ｄは、ディスクカートリッジ厚Ｄｃより少し広くする必要なく、ブリッジの厚さＤｂより△ｄだけ少し広くするだけで良いため、ディスクモータ及びクランプの昇降移動量は少なくて済み、ドライブの厚みを薄くできる。またエネルギを少なくて済むため省電力を実現できる。
【００５０】
ホールダを構成しそのホールダの両側面にディスクカートリッジ及びディスク単体を案内し保持する保持機構を設けたため、ディスクカートリッジ入りディスクもディスク単体でも直接ローディングが可能で、キャディを使用すると言う面倒でやっかいな操作をすることもなく操作性をすこぶる向上させ得る。キャディの保管場所も気にする事も必要ない。
【００５１】
またディスクカートリッジあるいはディスク単体を一旦ホールダに保持させた後に、ホールダと共にドライブ内部に引き込むので、図１４に示すように、横置き縦置き姿勢でも使用可能である。
【００５２】
ホールダに構成した、挿入窓１００ｃにおいて、ディスクと平行なホールダの下面に、ディスク保持位置のディスク中心と一致し、ディスクとほぼ同半径の円弧状の突起１００ｄを構成、同心の円形の模様１００ｅを構成したことにより、ディスクカートリッジの挿入時、挿入窓に正確なディスクカートリッジの位置決めをして挿入する必要なく、円弧状突起をガイドとして挿入できるので挿入操作が容易になる。またディスク単体を挿入する際、円弧状突起が邪魔をしてディスクを不用意に奥まで突っ込むことを防止できる。またデザイン、見栄えも良い。ホールダの強度も増す。
【００５３】
ストッパ部材１１２をカートリッジ案内部材１１０に設け、ストッパ部材１１２は保持されたディスク中心とストッパ軸中心１１１を通る線上のディスク円周上の点とディスクストッパ部材１１２の一端１１２ｃが接し、ディスクストッパ部材の他端１１２ｂはホルダーと接しているから、ストッパ部材は従動回転できず、ディスクを更に奥に挿入させようと大きな外力を加えてもディスクはそれ以上奥に挿入することは出来ない。危険な誤操作を防止できるし、操作感覚が良好である。
【００５４】
小径ディスク保持板１００ｆは、保持されるべきディスク中心の対称位置に、ホールダの一部を折り曲げ可能構造を成形構造体としたためスペースも取らず、部品も増やさず、安価で小径ディスクも使用できる。
【００５５】
ホールダの折り曲げ構造は、折り曲げられる部分の奥半分１００ｍにだけ配置されているので、小径ディスク１１ａが四角い切り込み１００ｋに挿入する際、ディスク保持板１００ｆの手前端面を広げ易く、小径ディスクの装着が容易になる。
【図面の簡単な説明】
【図１】本発明の１実施例のディスクローディング装置三面図
【図２】本発明の１実施例のホールダの外観斜視図
【図３】本発明の１実施例のホールダの内部構造斜視図（ディスク単体の使用の状態）
【図４】本発明の１実施例のホールダの内部構造斜視図（ディスクカートリッジの使用の状態）
【図５】ホールダの小径ディスク取付部の拡大斜視図（通常ディスクの装着状態）
【図６】ホールダの小径ディスク取付部の拡大斜視図（小径ディスクの装着状態）
【図７】小径ディスク保持板の折り曲げ構造部断面図（平面状態）
【図８】小径ディスク保持板の折り曲げ構造部断面図（折り曲げ状態）
【図９】小径ディスク保持板の折り曲げ構造部斜視図
【図１０】ディスクカートリッジのローディング動作説明図
【図１１】図１のＡ−Ａ断面図
【図１２】ディスク単体のローディング動作説明図
【図１３】小径ディスク単体のローディング動作説明図
【図１４】本発明の１実施例のドライブ装置の外観斜視図
【図１５】従来のディスクローディング機構の斜視図
【図１６】従来のディスクローディング機構の側面図
【符号の説明】
１  ドライブ匡体
２  ディスクモータ
３  昇降基盤
４  クランプ
５  送り軸
６  トラバースモータ
７  光学ヘッド
８  オープナ解除ピン
９  案内部材解放ピン
１０  ディスクカートリッジ
１１  ディスク
１２    シャッタ
１００  ホールダ
１０１  ガイド
１０２  ホールダ駆動モータ
１０３  ピニオンギア
１０４  ラックギア
１０５  シャッターオープナ
１０６  オープナー軸
１０７  回動ばね
１０８  軸
１０９  カートリッジ保持部材
１１０  カートリッジ案内部材
１１１  ストッパ軸
１１２  ストッパ部材
１１３  ストッパ回動ばね
１１４  回動ばね
１１５  ばね
【図１】
0003551606.tif 000002
【図２】
0003551606.tif 000003
【図３】
0003551606.tif 000004
【図４】
0003551606.tif 000005
【図５】
0003551606.tif 000006
【図６】
0003551606.tif 000007
【図７】
0003551606.tif 000008
【図８】
0003551606.tif 000009
【図９】
0003551606.tif 000010
【図１０】
0003551606.tif 000011
【図１１】
0003551606.tif 000012
【図１２】
0003551606.tif 000013
【図１３】
0003551606.tif 000014
【図１４】
0003551606.tif 000015
【図１５】
0003551606.tif 000016
【図１６】
0003551606.tif 000017